(57)【特許請求の範囲】
【請求項１】
衣類を収容する回転ドラムと、空気を加熱する加熱手段と、該加熱手段により加熱された空気から温風を生成するファンと、該ファンを回転作動させるモータと、該モータと前記回転ドラムを接続する接続状態と該モータと前記回転ドラムを切断する切断状態とを切替えるモータ断続手段と、
前記モータ断続手段を前記接続状態として前記モータを作動させることにより前記回転ドラムと前記ファンの双方を回転作動させ、前記ファンの回転作動により生成した温風を前記回転ドラム内に供給して前記回転ドラム内に収容された衣類を乾燥させる衣類乾燥運転と、前記モータ断続手段を前記切断状態として前記モータを作動させることにより前記ファンのみを回転作動させ、前記ファンの回転作動により生成された温風をそのまま外部に供給する温風供給運転とを選択的に実行する運転制御手段とを備えた衣類乾燥機において、
前記モータ断続手段が前記接続状態を維持して前記切断状態への切替が不能となった接続故障状態であることを検知する接続故障検知手段を設け、該接続故障検知手段により前記モータ断続手段が前記接続故障状態であることが検知されたときに、前記運転制御手段は、前記温風供給運転の実行禁止と前記接続故障の報知とのうち少なくともいずれか一方を行うことを特徴とする衣類乾燥機。
【請求項２】
前記モータの回転数を検出する回転数検出手段と、該回転数検出手段により検出される前記モータの回転数が所定の目標回転数と一致するように前記モータへの供給電力を調節する回転数制御を実行するモータ回転数制御手段と、前記モータに流れる電流を検出する電流検出手段とを備え、
前記運転制御手段は、前記モータ断続手段により前記切断状態とする制御を行うと共に前記モータ回転数制御手段により前記回転数制御を行って、前記温風供給運転を実行し、
前記接続故障検知手段は、前記温風供給運転の実行中に、前記電流検出手段による検出電流が所定の基準電流以上となったとき又は該検出電流から把握した前記モータの消費電力が所定の基準電力以上となったときに、前記モータ断続手段が前記接続故障状態にあると判断することを特徴とする請求項１記載の衣類乾燥機。
【発明の詳細な説明】
【０００１】
【発明の属する技術の分野】
本発明は、衣類の乾燥を行う衣類乾燥運転と、外部に温風を供給する温風供給運転とを選択的に実行する衣類乾燥機に関する。
【０００２】
【従来の技術】
従来より、回転ドラム内に衣類を収容し、該回転ドラムを回転作動させて該回転ドラム内の衣類を撹拌しながら該回転ドラム内に温風を供給することで、衣類の乾燥むらやしわの発生を抑制して衣類を乾燥させる衣類乾燥運転を実行する衣類乾燥機が知られている。
【０００３】
かかる衣類乾燥機においては、空気を加熱する加熱手段（例えばガスバーナ等）と、該加熱手段により加熱された空気から回転ドラム内に供給する温風を生成するファンとが備えられる。そして、前記加熱手段は比較的大きな加熱能力を有するため、前記加熱手段と前記ファンとにより生成される温風を室内に供給して室内を暖房する温風供給運転を行うようにした衣類乾燥機が提案されている（特開昭５６−８９２９９号公報等）。
【０００４】
このように、衣類乾燥運転と温風供給運転とを切替えて実行する場合、衣類乾燥運転を実行するときは回転ドラムとファンの双方を回転作動させる必要があるが、温風供給運転を実行する場合には回転ドラムを作動させる必要はなく、ファンのみを作動させればよい。
【０００５】
そこで、ファンと回転ドラムを１個のモータによって回転作動させる衣類乾燥機においては、該モータと回転ドラムを接続する接続状態と、該モータと回転ドラムを切断する切断状態とを切替えるクラッチを設けることが考えられる。このようにクラッチを設け、該クラッチによりモータと回転ドラムを切断した状態でモータを作動させることにより、前記ファンのみを回転作動させて前記温風供給運転を実行することができる。そしてこれにより、モータは回転ドラムの負荷から解放されるため、モータの消費電力を減少させることができる。
【０００６】
しかし、本願発明者らは、このようにクラッチを備えた衣類乾燥機において、前記衣類乾燥運転や前記温風供給運転を実行した場合に、衣類の傷みや消費電力の増加が生じる場合があることを知見した。
【０００７】
【発明が解決しようとする課題】
本発明は上記背景を鑑みてなされたものであり、衣類乾燥運転や温風供給運転を実行したときに、衣類の傷みや消費電力の増加が生じることを防止した衣類乾燥機を提供することを目的とする。
【０００８】
【課題を解決するための手段】
本発明は上記目的を達成するためになされたものであり、衣類を収容する回転ドラムと、空気を加熱する加熱手段と、該加熱手段により加熱された空気から温風を生成するファンと、該ファンを回転作動させるモータと、該モータと前記回転ドラムを接続する接続状態と該モータと前記回転ドラムを切断する切断状態とを切替えるモータ断続手段と、前記モータ断続手段を前記接続状態として前記モータを作動させることにより前記回転ドラムと前記ファンの双方を回転作動させ、前記ファンの回転作動により生成した温風を前記回転ドラム内に供給して前記回転ドラム内に収容された衣類を乾燥させる衣類乾燥運転と、前記モータ断続手段を前記切断状態として前記モータを作動させることにより前記ファンのみを回転作動させ、前記ファンの回転作動により生成された温風をそのまま外部に供給する温風供給運転とを選択的に実行する運転制御手段とを備えた衣類乾燥機の改良に関する。
【００１５】
そして、前記モータ断続手段が前記接続状態を維持して前記切断状態への切替が不能となった接続故障状態であることを検知する接続故障検知手段を設け、該接続故障検知手段により前記モータ断続手段が前記接続故障状態であることが検知されたときに、前記運転制御手段は、前記温風供給運転の実行禁止と前記接続故障の報知とのうち少なくともいずれか一方を行うことを特徴とする。
【００１６】
前記モータ断続手段が前記接続故障状態となると、前記モータの駆動力が常時前記回転ドラムに伝達可能な状態となる。そのため、前記モータ断続手段が前記接続故障状態であるときに前記温風供給運転を実行すると、前記吸排気ファンと共に前記回転ドラムも回転する状態となる。そして、この場合には、前記回転ドラムの負荷が前記モータに掛かるため、無駄な電力が消費される。さらに、温風供給運転を実行しているにも拘らず、不必要な回転ドラムの回転作動が行われるため、回転ドラムが発する騒音により使用者に違和感を与えることとなる。
【００１７】
かかる場合に、本発明によれば、前記接続故障検知手段により前記モータ断続手段の伝達不良が検知されると、前記運転制御手段は前記温風供給運転の実行禁止と前記接続故障の検知のうち少なくともいずれか一方を行う。そのため、前記運転制御手段により前記温風供給運転の実行が禁止されるか、或いは前記切断故障の報知に応じて使用者が前記衣類乾燥運転の実行を取りやめる。したがって、前記モータ断続手段が前記接続故障状態にあるときに前記温風供給運転が実行されることがなく、無駄な電力が消費されることや回転ドラムの発する騒音により使用者に違和感を与えることを防止することができる。
【００１８】
また、前記モータの回転数を検出する回転数検出手段と、該回転数検出手段により検出される前記モータの回転数が所定の目標回転数と一致するように前記モータへの供給電力を調節する回転数制御を実行するモータ回転数制御手段と、前記モータに流れる電流を検出する電流検出手段とを備え、前記運転制御手段は、前記モータ断続手段により前記切断状態とする制御を行うと共に前記モータ回転数制御手段により前記回転数制御を行って、前記温風供給運転を実行し、前記接続故障検知手段は、前記温風供給運転の実行中に、前記電流検出手段による検出電流が所定の基準電流以上となったとき又は該検出電流から把握した前記モータの消費電力が所定の基準電力以上となったときに、前記モータ断続手段が前記接続故障状態にあると判断することを特徴とする。
【００１９】
前記回転数制御を行うことで、油切れ等により前記モータの負荷が変動する場合であっても、前記モータの回転数を前記目標回転数に保って前記温風供給運転を安定して実行することができる。そして、前記回転数制御により前記モータを前記目標回転数で作動させる場合、前記モータ断続手段が前記切断状態であるときは前記モータに前記回転ドラムの負荷が掛からないため、前記モータに前記回転ドラムの負荷が掛かる前記接続故障状態であるときよりも、前記モータに発生させる必要があるトルクが小さくなる。そして、上述したように前記モータに流れる電流の大きさは前記モータが発生するトルクの大きさに比例する。
【００２０】
したがって、前記回転数制御により前記モータの回転数が前記目標回転数と一致した時に前記モータに流れる電流は、前記モータ断続手段が前記切断状態にあるときよりも前記接続故障状態にあるときのほうが大きくなる。そのため、前記電流検出手段を設け、前記衣類乾燥運転において、前記回転数制御により前記モータの回転数が前記目標回転数と一致した時の前記電流検出手段の検出電流が前記基準電流以上となったとき、又は前記電流値検出手段の検出電流から把握される前記モータの消費電力が前記基準電力以上となったときに、前記モータ断続手段が前記接続故障状態にあると判断することで、前記接続故障検知手段を容易に構成することができる。
【００２１】
【発明の実施の形態】
本発明の実施の形態の一例について、図１〜図６を参照して説明する。図１は本発明の衣類乾燥機の全体構成図、図２は図１に示した衣類乾燥機の制御ブロック図、図３はモータの制御ブロック図、図４〜図６は衣類乾燥運転と暖房運転の実行フローチャートである。
【００２２】
図１を参照して、本実施の形態の衣類乾燥機１は、衣類の乾燥を行う衣類乾燥運転と、室内の暖房を行う暖房運転（本発明の温風供給運転に相当する）とを選択的に実行するものである。そして、衣類乾燥機１は、マイクロコンピュータ等から構成されるコントローラ２により全体の作動が制御され、被乾燥物である衣類Ｓが収納される回転ドラム３と、回転ドラム３に供給する空気を加熱する温水式の熱交換器４と、熱交換器４で加熱された空気を吸気口５から回転ドラム３内に吸引すると共に、回転ドラム３内の空気を排気口６から排出する吸排気ファン７と、吸排気ファン７を回転作動させると共にクラッチ８(本発明のモータ断続手段に相当する）を介して回転ドラム３を回転作動させるモータ９とを備える。
【００２３】
さらに、衣類乾燥機１は、回転ドラム３のドア１０の開閉状態を検知するドアスイッチ１１と、回転ドラム３内の衣類Ｓの温度を検出する衣類温サーミスタ１２と、電極ａ，ｂ間に接触した衣類Ｓの湿り具合に応じてＯＮ／ＯＦＦする電極センサ１３と、排気口６から排出される湿潤空気の温度を検出する排気温サーミスタ１４と、衣類乾燥機１が設置された室内の温度を検出する室温サーミスタ１５と、使用者により操作されるスイッチ等を備えた操作パネル１６とを備える。
【００２４】
排気口６と接続された排気管１７は、分岐箇所Ｘで、ベランダ等の壁面１８に設けられた換気口１９と連通した排気路２０と、室内に開口した温風吹出口２１と連通した温風供給路２２とに分岐する。分岐箇所Ｘには三方弁２３が設けられ、三方弁２３がＯＮ状態（屋外連通状態、図中点線で示した状態）にあるときは、排気管１７と排気路２０が連通して排気管１７と温風供給路２２の間が遮断される。一方、三方弁２３がＯＦＦ状態（室内連通状態、図中実線で示した状態）にあるときは、排気管１７と温風供給路２２が連通して排気管１７と排気路２０の間が遮断される。
【００２５】
また、コントローラ２は給湯器２５と通信可能に接続され、給湯往管２６を開閉する熱動弁２７を開弁して、給湯器２５に給湯開始の指示信号を送信することで、給湯器２５から給湯往管２６を介して熱交換器４への湯の供給が開始され、給湯器２５から熱交換器４に供給された湯は給湯戻管２８を介して給湯器２５に戻る。また、コントローラ２は、給湯器２５に給湯温度の指示信号を送信する。
【００２６】
また、排気口６には、衣類Ｓから発生する糸屑や埃が排気管１９に排出されることを防止するためにフィルタ２９が装着され、モータ９にはモータ９の回転数を検出するためにホール素子を使用した回転数センサ３０（本発明の回転数検出手段に相当する）が設けられている。
【００２７】
次に、図２を参照して、コントローラ２は、衣類乾燥運転と暖房運転の実行を制御する運転制御手段５１と、クラッチ８の故障を検知するクラッチ故障検知手段５２（本発明の切断故障検知手段と接続故障検知手段の機能を含む）とを有するマイクロコンピュータ５０（以下、マイコン５０という）を備える。そして、マイコン５０には、ドアスイッチ１１から出力されるドア１０の開閉検出信号と、衣類温サーミスタ１２，排気温サーミスタ１４，及び室温サーミスタ１５から出力される温度検出信号と、電極センサ１３から出力される乾燥度合検出信号とが入力される。これらの検出信号により、図１を参照して、マイコン５０は、ドア１０の開閉状態、回転ドラム３内の衣類Ｓの温度、排気口６から排出される空気の温度、室温、及び衣類Ｓの乾燥度合を認識する。
【００２８】
尚、電極センサ１３は、電極ａ，ｂ間の抵抗値（電極ａ，ｂ間に接触する衣類の乾燥度合が大きいほど大きくなる）が所定レベル（数ＭΩ程度）以上となったときに、検出出力がＯＮとなるものである。運転制御手段５１は、衣類乾燥運転の実行時に電極センサ１３の検出出力を周期的に入力し、一定時間あたりの入力回数に対する、電極センサ１３の検出出力がＯＮであった回数の割合（以下、電極センサ１３のＯＮ頻度という）が９５％以上となったときに、衣類が乾燥したと判断する。
【００２９】
また、マイコン５０は、制御信号を出力して、クラッチ８のＯＮ／ＯＦＦ、三方弁２３のＯＮ／ＯＦＦ、熱動弁２７の開弁／閉弁、モータドライバー４０を介したモータ９の回転数の制御、及び給湯器２５に対する給湯開始／停止と給湯温度の指示を行う。
【００３０】
操作パネル１６には、衣類乾燥機１への電力供給と遮断を指示する電源スイッチ３１、衣類乾燥運転の開始と終了を指示する乾燥スイッチ３２、衣類乾燥運転の実行中に点灯する乾燥中ランプ３３、暖房運転の開始と終了を指示する暖房スイッチ３４、暖房運転の実行中に点灯する暖房中ランプ３５、衣類乾燥運転終了までの残時間や、室温サーミスタ１５により検出される室温等を表示する表示ユニット３７、エラーランプ３９、及び衣類乾燥運転の終了等を音声により報知する音声ユニット３８を備える。
【００３１】
さらに、図示しないが、操作パネル１６には、衣類乾燥運転及び暖房運転のタイマ運転の実行時間（タイマ時間）を設定するタイマ設定スイッチ、衣類乾燥運転の運転モード（電極センサ１３のＯＮ頻度や衣類温サーミスタ１２の検出温度に基づいて衣類乾燥運転の終了時間を決定する自動乾燥モード、及び前記タイマ設定スイッチにより設定された時間、衣類乾燥運転を実行するタイマ乾燥モード）を選択する衣類乾燥運転モード選択スイッチ等が備えられている。
【００３２】
次に、図１及び図２を参照して、運転制御手段５１は、衣類乾燥運転を実行するときは、クラッチ８をＯＮ（接続状態）してモータ９と回転ドラム３を接続し、三方弁２３をＯＮ（屋外連通状態）して排気管１７を排気路２０に連通させた状態で、モータ９を作動させる。これにより、吸排気ファン７と回転ドラム３が共に回転作動し、熱交換器４で加熱された空気が温風となって吸気口５から回転ドラム３内に吸気され、該温風により衣類Ｓが加熱されて乾燥する。そして、衣類Ｓから放出される湿潤空気が、排気口６から排気管１７及び排気路２０を介して換気口１９から屋外に排気される。また、このように回転ドラム３が回転作動することで衣類Ｓが撹拌され、衣類３の乾燥むらやしわ等が生じることが抑制される。
【００３３】
一方、暖房運転を実行するときは、回転ドラム３を回転作動させる必要はない。そのため、運転制御手段５１は、クラッチ８をＯＦＦ（切断状態）してモータ９と回転ドラム３を切断し、三方弁２３をＯＦＦ（室内連通状態）して排気管１７を温風供給路２２に連通させた状態で、モータ９を作動させる。これにより、吸排気ファン７のみが回転作動し、熱交換４で加熱された空気が温風となって吸気口５から回転ドラム３内に吸気され、該温風は回転ドラム３内を通過してそのまま排気口６から排気管１７に排気される。そして排気管１７から排気された温風は、温風供給路２２を経由して温風吹出口２１から室内に放出される。
【００３４】
また、衣類乾燥運転及び暖房運転において、運転制御手段５１はモータ９の回転数を所定の目標回転数に保って作動させ、クラッチ故障検知手段５２はクラッチ８の故障の有無を検知する。図３を参照して、運転制御手段５１は、モータドライバー４０（本発明のモータ回転数制御手段に相当する）に対して目標回転数ωAを指示する。そして、モータドライバー４０は、回転数センサ３０により検出されるモータ９の実回転数ωFが目標回転数ωAと一致するようにモータ９に供給される電力を調節する回転数制御を行う。
【００３５】
具体的には、モータドライバー４０は、商用電源６０の出力電圧が正から負及び負から正に移行する時点（ゼロクロス点）を検出するゼロクロス検出回路６１からの検出信号により、ゼロクロス点を検知し、ゼロクロス点を検知してからサイリスタ６２にトリガ信号を出力するまでの時間を調節するいわゆる位相制御によりモータ９に供給する電力を調節する。
【００３６】
そして、このように回転数制御によりモータ９の回転数を目標回転数ωAに保つためにモータ９に発生させる必要があるトルクは、モータ９に掛る負荷が大きくなるほど大きくなる。そして、モータ９が発生するトルクはモータ９に流れる電流に比例する。そのため、モータ９の回転数が目標回転数ωAと一致した時にモータ９に流れる電流或いは該電流に応じて変動するモータ９の消費電力から、モータ９に掛る負荷を認識することができる。
【００３７】
そこで、クラッチ故障検知手段５２は、電流検出回路６３の検出出力から、モータ９に流れる電流を検知し、該電流からモータ９の消費電力を把握する。そして、モータ９の消費電力からモータ９に掛る負荷を認識することで、クラッチ８が故障状態にあるか否かを検知する。
【００３８】
ここで、クラッチ８は、電磁コイル（図示しない）への電力の供給と遮断を切替えることで、モータ９側の回転軸（駆動軸）と回転ドラム３側の回転軸との接続と切断を切替える電磁クラッチである。そのため、電磁コイルに電力を供給するケーブルの断線や、クラッチ８の作動部へのごみ噛み等により、モータ９と回転ドラム３が切断状態を維持して接続状態への切替えが不能となる切断故障や、モータ９と回転ドラム３が接続状態を維持して切断状態への切替えが不能となる接続故障が生じる場合がある。
【００３９】
そして、切断故障が生じると、前記衣類乾燥運転において、本来モータ９と接続されるべき回転ドラム３がモータ９と切断された状態となるため、モータ９に掛る負荷が減少してモータ９の消費電力が減少する。そこで、クラッチ故障検知手段５２は、前記衣類乾燥運転を実行したときのモータ９の消費電力が、クラッチ８が正常であるとき、即ちモータ９と回転ドラム３が接続状態にあるときのモータ９の消費電力に基づいて定めた接続基準電力（例えば１５０Ｗ、本発明の基準電力に相当する）以下となったときに、クラッチ８が切断故障状態であると判断する。
【００４０】
一方、接続故障が生じると、前記暖房運転において、本来モータ９と切断されるべき回転ドラム３がモータ９と接続された状態となるため、モータ９に掛る負荷が増加する。そこで、クラッチ故障検知手段５２は、前記暖房運転を実行したときのモータ９の消費電力が、クラッチ８が正常であるとき、即ちモータ９と回転ドラム３が切断状態にあるときのモータ９の消費電力に基づいて定めた切断基準電力（例えば１００Ｗ、本発明の基準電力に相当する）以上となったときに、クラッチ８が接続故障状態であると判断する。
【００４１】
次に、図１及び図２を参照しつつ、図４〜図６に示したフローチャートに従って、運転制御手段５１とクラッチ故障検知手段５２による衣類乾燥運転と暖房運転の実行手順について説明する。
【００４２】
衣類乾燥運転を実行する場合は、図１を参照して、使用者は被乾燥物である衣類Ｓを回転ドラム３内に入れてドア１０を閉め、操作パネル１６の電源スイッチ３１（図２参照）をＯＮ操作する。一方、暖房運転を実行する場合は、使用者は、回転ドラム３内に衣類が収容されていない状態でドア１０を閉めて、電源スイッチ３１をＯＮ操作する。
【００４３】
図２を参照して、使用者が操作パネル１６の電源スイッチ３１をＯＮ操作すると、コントローラ２への電源供給が開始されてマイコン５０が作動を開始し、また、操作パネル１６に供えられた電源スイッチ３１以外のスイッチ類が操作可能となる。そして、運転制御手段５１は、図４のＳＴＥＰ１でドアスイッチ１１がＯＮしたとき、即ちドア１０が閉められた状態にあるときは、ＳＴＥＰ２に進み、ＳＴＥＰ２で乾燥スイッチ３２がＯＮ操作されるか、ＳＴＥＰ４０で暖房スイッチ３４がＯＮ操作されるのを待つ。
【００４４】
使用者が衣類乾燥運転の運転モード（自動乾燥モード、タイマ乾燥モード）を選択し、タイマ乾燥モードを選択した場合にはさらに衣類乾燥運転の実行時間（タイマ時間）を設定して、乾燥スイッチ３２をＯＮ操作すると、ＳＴＥＰ２からＳＴＥＰ３に進んで、運転制御手段５１は衣類乾燥運転の実行を開始する。運転制御手段５１は、ＳＴＥＰ３で三方弁２３をＯＮ（屋外連通状態）とし、ＳＴＥＰ４で熱動弁２７を開弁して給湯器２５に給湯開始を指示する給湯開始処理を行い、ＳＴＥＰ５でクラッチ８をＯＮ（接続状態）して、ＳＴＥＰ６でモータ９を作動させる。
【００４５】
これにより、図１を参照して、回転ドラム３と吸排気ファン７が共に回転作動し、熱交換器４で加熱された空気が温風として回転ドラム３内に吸気され、回転ドラム３内の衣類Ｓが加熱される。そして、衣類Ｓから放出される湿潤空気が排気口６から排気管１７に排気され、排気路２０を経由して換気口１９から屋外に排出される。
【００４６】
そして、運転制御手段５１は、続くＳＴＥＰ７〜ＳＴＥＰ１０のループを実行する。運転制御手段５１は、ＳＴＥＰ７でモータドライバー４０を介してモータ９の回転数制御を行い（図３参照）、ＳＴＥＰ８で乾燥スイッチ３２がＯＦＦ操作されたときは、ＳＴＥＰ２０に分岐して、図６のＳＴＥＰ８０〜ＳＴＥＰ８５のサブルーチンを実行して衣類乾燥運転を中止する。即ち、ＳＴＥＰ８１で熱動弁２７を閉弁して給湯器２５に給湯停止を指示する給湯停止処理を行い、ＳＴＥＰ８２でモータ９をＯＦＦし、ＳＴＥＰ８３でクラッチ８をＯＦＦ（切断状態）し、ＳＴＥＰ８４で三方弁２３をＯＦＦする。そして、ＳＴＥＰ１に進んで、運転制御手段５１は、ＳＴＥＰ２及びＳＴＥＰ４０で再び乾燥スイッチ３２と暖房スイッチ３４のＯＮ操作待ちとなる。
【００４７】
また、ＳＴＥＰ９はクラッチ故障検知手段５２による処理であり、クラッチ故障検知手段５２は、モータ９が回転数制御（ＳＴＥＰ７）で目標回転数に保たれているときに、電流検出回路６３によりモータ９に流れる電流の大きさを検知してモータ９の消費電力を把握し、モータ９の消費電力が１５０Ｗ（接続基準電力）以下となったときに、クラッチ８が切断故障状態にあると判断してＳＴＥＰ３０に分岐する。そして、ＳＴＥＰ２０と同様に、図６のＳＴＥＰ８０〜ＳＴＥＰ８５の処理を実行して、衣類乾燥運転の実行を中止する。
【００４８】
このように、クラッチ８が切断故障状態にあるときに衣類乾燥運転の実行を中止することで、回転ドラム３が停止した状態で衣類乾燥運転が実行されることが禁止される。そしてこれにより、回転ドラム３内の衣類Ｓに部分的に温風があたって乾燥むらが生じたり、しわや縮み等が生じて衣類Ｓが傷むこと防止することができる。そして、次のＳＴＥＰ３１で、運転制御手段５１は、操作パネル１６の表示ユニット３７にエラー表示をし、エラーランプ３９を点灯して、使用者にクラッチ８の切断故障が生じたことを報知する。
【００４９】
また、ＳＴＥＰ１０で、衣類乾燥運転の終了条件が成立したとき、即ち、自動乾燥運転においては、電極センサ１３のＯＮ頻度、衣類温サーミスタ１２の検出温度等から衣類Ｓの乾燥が完了したと判断されたとき、また、タイマ乾燥運転においては、設定されたタイマ時間が経過したときに、ＳＴＥＰ１１に進んで、運転制御手段５１は、衣類乾燥運転終了処理（図６のＳＴＥＰ８０〜ＳＴＥＰ８５）を行い、続くＳＴＥＰ１２で表示ユニット３７に衣類乾燥運転の終了を表示し、また、音声ユニット３８により衣類乾燥運転の終了を知らせる音声（例えば「乾燥を終了しました」）を出力して、衣類乾燥運転の実行を終了する。
【００５０】
また、使用者が暖房運転の目標室温を設定し、タイマ運転を行う場合はさらにタイマ時間を設定して、暖房スイッチ３４をＯＮ操作すると、ＳＴＥＰ４０から図５のＳＴＥＰ４１に進んで、運転制御手段５１は暖房運転の実行を開始する。運転制御手段５１は、ＳＴＥＰ４１で三方弁２３をＯＦＦ（室内連通状態）とし、ＳＴＥＰ４２で熱動弁２７を開弁して給湯器２５に給湯開始を指示する給湯開始処理を行い、ＳＴＥＰ４３でクラッチ８をＯＦＦ（切断状態）して、ＳＴＥＰ４４でモータ９を作動させる。
【００５１】
これにより、図１を参照して、吸排気排気ファン７のみが回転作動し（回転ドラム３は停止状態）、熱交換器４で加熱された空気が温風として回転ドラム３内に吸気される。そして該温風は回転ドラム３内を通過してそのまま排気口６から排気管１７に排気され、温風供給路２２を経由して温風吹出口２１から室内に供給されて、室内の暖房が行われる。
【００５２】
そして、運転制御手段５１は、続くＳＴＥＰ４５〜ＳＴＥＰ４８のループを実行する。運転制御手段５１は、ＳＴＥＰ４５で、室温サーミスタ１５により検出される室温が目標室温と一致するように、モータ９の回転数（＝吸排気ファン７の回転数）をモータドライバー４０を介して制御すると共に、給湯器２５に対して給湯温度の変更指示を与える温調制御を行う。
【００５３】
また、ＳＴＥＰ４６で暖房スイッチ３４がＯＦＦされたときは、ＳＴＥＰ６０に分岐して、図６のＳＴＥＰ９０〜ＳＴＥＰ９３のサブルーチン（暖房運転終了処理）を実行して暖房運転を終了する。即ち、ＳＴＥＰ９１で熱動弁２７を閉弁して給湯器２５に給湯停止を指示する給湯停止処理を行い、ＳＴＥＰ９２でモータ９をＯＦＦする。そして、ＳＴＥＰ１に進んで、運転制御手段５１は、ＳＴＥＰ２及びＳＴＥＰ４０で再び乾燥スイッチ３２と暖房スイッチ３４のＯＮ操作待ちとなる。
【００５４】
次のＳＴＥＰ４７はクラッチ故障検知手段５２による処理であり、クラッチ故障検知手段５２は、モータ９が回転数制御（ＳＴＥＰ４５）により目標回転数で作動しているときに、電流検出回路６３によりモータ９に流れる電流を検知してモータ９の消費電力を把握し、モータ９の消費電力が１００Ｗ（切断基準電力）以上となったときに、クラッチ８が接続故障状態にあると判断してＳＴＥＰ７０に分岐する。そして、暖房運転終了処理（ＳＴＥＰ９０〜ＳＴＥＰ９３）を実行して、暖房運転の実行を中止する。
【００５５】
このように、クラッチ８が接続故障状態にあるときに暖房運転の実行を中止することで、回転ドラム３が回転した状態で暖房運転が実行されることが禁止される。そしてこれにより、回転ドラム３の負荷によりモータ９が無駄な電力を消費することが防止でき、また、暖房運転を行っているにも拘らず回転ドラム３が回転することにより、使用者に違和感を与えることを防止することができる。
【００５６】
そして、次のＳＴＥＰ７１で、運転制御手段５１は、操作パネル１６の表示ユニット３７にエラー表示をし、エラーランプ３９を点灯して、使用者にクラッチ８の接続故障が生じたことを報知する。
【００５７】
また、ＳＴＥＰ４８で、暖房運転の終了条件が成立したとき、即ち、タイマ暖房運転の設定時間が経過したときに、ＳＴＥＰ４９に進んで、運転制御手段５１は、暖房運転終了処理（図６のＳＴＥＰ９０〜ＳＴＥＰ９３）を実行し、続くＳＴＥＰ５０で表示ユニット３７に暖房運転の終了を表示し、また、音声ユニット３８により暖房運転の終了を知らせる音声（例えば「暖房を終了しました」）を出力して、暖房運転の実行を終了する。
【００５８】
尚、本実施の形態では、クラッチ故障検知手段５２は、電流検出回路６３によって検出したモータ９に流れる電流からモータ９の消費電力を把握し、該消費電力に基づいてクラッチ８の切断故障と接続故障を検知したが、電流検出回路６３によって検出した電流から直接クラッチ８の切断故障と接続故障を検知するようにしてもよい。
【００５９】
さらに、クラッチ８の作動位置（接続状態に応じた位置、及び切断状態に応じた位置）を検出する位置検出センサを設け、クラッチ８をＯＮ／ＯＦＦさせたときに、クラッチ８が対応する位置に作動したか否かを該位置検出センサにより確認することにより、クラッチ８の切断故障と接続故障を検知するようにしてもよい。
【００６０】
また、本実施の形態では、本発明のモータ断続手段としてクラッチ８を用いたが、他の手段により、例えばテンションプーリー等を用いてモータ断続手段を構成してもよい。
【００６１】
また、本実施の形態では、室内暖房を行う機能を有する衣類乾燥機を示したが、モータと回転ドラムとの接続／切断を切替えて、外部に温風を供給する衣類乾燥機であれば（例えば、温風供給路から浴室に温風を供給して浴室を乾燥させる浴室乾燥運転を行う衣類乾燥機等）、本発明の適用が可能である。
【００６２】
また、本実施の形態では、回転数センサを有してモータの回転数制御を行うものを示したが、回転数センサを有さずに、一定電圧をモータに印加して衣類乾燥運転及び暖房運転を実行する衣類乾燥機に対しても本発明の適用が可能である。
【図面の簡単な説明】
【図１】衣類乾燥機の全体構成図。
【図２】衣類乾燥機の制御ブロック図。
【図３】モータの制御ブロック図。
【図４】衣類乾燥運転と暖房運転の実行フローチャート。
【図５】衣類乾燥運転と暖房運転の実行フローチャート。
【図６】衣類乾燥運転と暖房運転の実行フローチャート。
【符号の説明】
１…衣類乾燥機、２…コントローラ、３…回転ドラム、４…熱交換器、５…吸気口、６…排気口、７…吸排気ファン、８…クラッチ、９…モータ、１０…ドア、１１…ドアスイッチ、１２…衣類温サーミスタ、１３…電極センサ、１４…排気温サーミスタ、１５…室温サーミスタ、１６…操作パネル、１７…排気管、１８…壁、１９…換気口、２０…排気路、２１…温風吹出口、２２…温風供給路、２５…給湯器、２７…熱動弁、４０…モータドライバー、３１…電源スイッチ、３２…乾燥スイッチ、３４…暖房スイッチ、５０…マイコン、５１…運転制御手段、５２…クラッチ故障検知手段
【図１】
0003948863.tif 000002
【図２】
0003948863.tif 000003
【図３】
0003948863.tif 000004
【図４】
0003948863.tif 000005
【図５】
0003948863.tif 000006
【図６】
0003948863.tif 000007